(57)【特許請求の範囲】
【請求項１】
前面に操作パネルを有するノーズを回転して媒体挿入口を表面に出し、該媒体挿入口より情報記録媒体をセットする車載機器の走行時におけるノーズオープン警告装置において、
車両の走行状態を検出する手段、
ノーズオープンを検出する手段、
車両走行中にノーズがオープンしている時、所定の言語でノーズを閉じることを促す警告を音声で行う制御部、
警告音声データを多数の言語で記憶する記憶部、
警告音声の言語がナビゲーション装置で設定したナビゲーション案内音声の言語と同じになるように設定する言語設定手段、
を備え、前記設定された言語でノーズオープンの警告をすることを特徴とするノーズオープン警告装置。
【発明の詳細な説明】
【０００１】
【発明の属する技術分野】
本発明はノーズオープン警告装置に係わり、特に、前面に操作パネルを有するノーズを回転して媒体挿入口を表面に出し、該媒体挿入口より情報記録媒体をセットする車載機器の走行時におけるノーズオープン警告装置に関する。
【０００２】
【従来の技術】
車載用のオーディオ／ビジュアル/ナビゲーション一体機は、表示スペースを広く確保するためにキーや表示部等の操作パネルを回転自在に備え、該操作パネル（可動ノーズという）でDVD(Digital Video Disk)やCD等の媒体挿入口を隠したものがある。かかる構成の車載機器では、CD、DVD、MD(Mini Disk)などの情報記録媒体を車載機器にセットする際、可動ノーズを回転して媒体挿入口を表面に出し、該媒体挿入口より情報記憶媒体を車載機器にセットし、しかる後、可動ノーズを元の状態に戻して情報記憶媒体の再生、記録を行うようにしている。
【０００３】
図８は可動ノーズを備えた車載機器の例であり、（ａ）は可動ノーズを閉じた状態、（ｂ）は可動ノーズを開いた状態を示している。可動ノーズ１の前面には表示部１ａや各種操作キー１ｂが設けられている。（ａ）の閉状態において可動ノーズ１を、Ａ矢印方向に回転すると、（ｂ）に示すように機器本体部２の前面部、すなわち、媒体挿入口２ａ，２ｂ、媒体挿入/取り出しボタン２ｃ，２ｄが出現する。媒体挿入口２ａはナビゲーション用の地図DVDやビデオDVD等を挿入するもの、媒体挿入口２ｂは音楽用CDを挿入するものである。この開状態において所望のDVDあるいはCDを挿入し、しかる後、可動ノーズ１をＢ方向に回転して（ａ）の閉状態に戻して情報記憶媒体の再生を行う。
【０００４】
【発明が解決しようとする課題】
ところで、従来、可動ノーズのオープン及びクローズはユーザーのキー操作により行うものであった。このため、可動ノーズを開いた状態で車両走行する場合があった。しかし、かかる場合に、衝突事故が発生すると可動ノーズが突起物となり搭乗者が可動ノーズとぶつかって怪我をすることがあり、安全性に問題があった。又、可動ノーズが開いた状態で車両を走行させると、振動により可動部がこわれやすく、信頼性に問題があった。更に、開いた可動ノーズの上にコーヒー、ジュースなど飲み物が入った紙コップや缶を載せたりすることがあり、振動により、あるいは不注意でこれら飲み物をこぼして可動ノーズの駆動部に障害を生じさせる問題があった。
【０００５】
以上より、従来はピー音や警告ラベルを貼る等して、走行中にノーズを閉じる様、注意喚起を行なっている。
しかし、ピー音では何故その音が鳴っているのかユーザーに分かり難い問題がある。又、警告ラベルの場合、見落とす可能性があり実効性に欠ける。また、EU地域は多言語市場である為、全言語であるいは出荷先に応じた言語でラベルを貼る作業が必要になる問題がある。
【０００６】
以上から本発明の目的は、ユーザが理解しやすいようにノーズオープンの警告ができるノーズオープン警告装置を提供することである。
本発明の別の目的は、ユーザの好む言語でノーズオープンの警告ができるノーズオープン警告装置を提供することである。
本発明の別の目的は、確実にノーズをクローズさせることができるノーズオープン警告装置を提供することである。
本発明の別の目的は、ナビゲーション装置の機能を利用してなるノーズオープン警告装置を提供することである。
【０００７】
【課題を解決するための手段】
上記課題は第１の発明によれば、前面に操作パネルを有するノーズを回転して媒体挿入口を表面に出し、該媒体挿入口より情報記録媒体をセットする車載機器の走行時におけるノーズオープン警告装置において、(1) 車両の走行状態を検出する手段、(2) ノーズオープンを検出する手段、(3) 車両走行中にノーズがオープンしている時、所定の言語でノーズを閉じることを促す警告を音声で行う制御部、を備えたノーズオープン警告装置により達成される。
【０００８】
音声で警告するため、ユーザはノーズオープンの警告を理解できる。この場合、警告音声データを多数の言語で記憶しておき、いずれの言語で警告するかをユーザに設定させ、所望の言語で警告音声を出力するようにする。このようにすれば、EU地域に出荷する場合でもユーザが理解できる言語でノーズオープンの警告をするため確実に可動ノーズをクローズさせることができる。又、言語はナビゲーション装置で設定したナビゲーション案内音声の言語と同じにすることにより、警告音声言語を別に設定する必要がなく操作性を向上できる。又、車両が停車するまで、あるいは、ノーズがクローズするまで警告を繰り返し行うことにより、確実に可動ノーズをクローズさせることができる。
【００１１】
【発明の実施の形態】
（Ａ）第１実施例
図１は本発明の第１実施例のノーズオープン警告装置の構成図である。図中、１０はナビゲーション装置、３０はノーズオープン警告制御装置、５０は可動ノーズ駆動機構である。
【００１２】
ナビゲーション装置１０において、１１は自動車位置周辺の地図描画制御／経路探索制御／経路誘導制御等のナビゲーション制御を行うナビゲーション制御部、１２は地図情報を記憶する地図記憶媒体で例えばDVD、１３はナビゲーション制御部１１からの要求によりDVDより所望の地図を読出して入力するDVD制御装置、  １４はナビゲーション制御部１１に対しメニュー選択／地図スクロール／目的地検索／案内音声言語の選択等の入力を行うリモコン、１５は車両位置検出装置で、所定距離の走行毎にパルスを発生する距離センサ１５ａ、車両の進行方向を測定するジャイロなどの角度センサ１５ｂなどを備えている。１６は地図／メニューを表示する表示装置で、ディスプレイ画面が可動ノーズの前面に位置するように配設されている。１７はナビゲーション制御部１１から出力する交差点案内音声とノーズオープン警告制御装置３０から出力する警告音声を合成して出力する合成部、１８はオーディオ回路、１９は音声を出力するスピーカである。ナビゲーション制御部１１はリモコン１２より設定されたナビゲーション案内音声言語をノーズオープン警告制御装置３０に出力する。
【００１３】
ノーズオープン警告制御装置３０において、３１は走行中ノーズ開閉検出部で、距離センサ１５ａから入力する走行パルスとノーズ開閉検出スイッチ５５から入力するノーズ開閉信号に基づいて走行中におけるノーズ開閉を検出するもの、３２は多数の言語による警告音声データを記憶する記憶部、３３は走行中にノーズがオープンしているときナビゲーション案内言語の警告音声データを記憶部３２より読出して出力する警告音声出力制御部、３４はディジタルの警告音声データをアナログに変換して出力するＤＡコンバータである。記憶部３２に記憶される警告音声データは例えば、「走行時は、安全の為、ディスプレイを閉じて下さい」を意味する各言語の音声信号をディジタルに変換したものである。
【００１４】
可動ノーズ駆動機構５０は可動ノーズ開閉ボタンの操作で可動ノーズの開閉を行う。図２は可動ノーズの駆動機構説明図、図３は可動ノーズロック機構の説明図、図４は可動ノーズを全開した状態の説明図である。図２において、５２は可動ノーズで、表面に表示部や各種キーが設けられている。５３は可動ノーズのオープン／クローズボタンであり、傾斜突起５３ａを有する棒材５３ｂに取り付けられている。棒材５３ｂは可動ノーズ係止機構５４の立て軸５４ａに形成した孔に挿通され、その先端はスイッチ５５に対向している。可動ノーズ係止機構５４の先端爪部５４ｂは可動ノーズ５２に形成した窪みに係合して可動ノーズの全閉状態を保持するようになっている。可動ノーズ係止機構５４は軸５６に回動自在に軸支され、スプリング５７により可動ノーズ５２を係止する方向に付勢されている。オープン／クローズボタン５３を押し込むと（図３）、傾斜突起５３ａが可動ノーズ係止機構５４の立て軸５４ａに形成した孔に入り込み、可動ノーズ係止機構５４全体を上方向に持ち上げ、可動ノーズ５２との係止状態を解除する。これと同時にスイッチ５５が押下され、可動ノーズ駆動機構６０を構成するモータ６１が回転を開始し、可動ノーズ５２を全開方向に駆動する。
【００１５】
可動ノーズ駆動機構６０（図２）において、６１は可動ノーズ開閉用のモータ、６２はモータの回転軸に取り付けられたウォームギア、６３はウォームギアと歯合して回転する第１の歯車、６４は第１の歯車６３と歯合する第２の歯車ギア、６５は第２の歯車６４に形成された突起、６６は一端が突起６５により軸支され、他端が可動ノーズ５２に設けた突起５２ｃに軸支された腕部であり、水平方向に移動可能に形成されている。６７はトーションバネであり、第２の歯車６４の回転軸に巻回され、一端が突起６５に係合し、他端が固定されている。可動ノーズ５２に形成した突起５２ｄはベース６８に回動自在に軸支されている。
【００１６】
全閉時（図２）にオープン／クローズボタン５３を押し込むとスイッチ５５がオンし、モータ６１が回転を開始する。モータ６１の回転により、ウォームギア６２を介して第１、第２の歯車６３，６４が矢印方向に回転する。この結果、腕部６６がトーションバネ６７を巻き付けながら、かつ、可動ノーズ５２に押し付け力を加えながら右方向に移動する。このため、可動ノーズ５２が時計方向に回転し、最終的に図４に示す全開状態になる。かかる全開状態において可動ノーズ５２を全閉するために、オープン／クローズボタン５３を操作してスイッチ５５をオフすれば、モータ６１がオープン動作時と逆方向に回転する。これにより、オープン動作時と逆の動作が行われ、かつ、トーションバネ６７によるゼンマイ作用が働いて可動ノーズ５２は反時計方向にスムーズに回動して全閉状態になる。可動ノーズ５２の開閉状態はスイッチ５５のオン／オフにより検出することができる。
【００１７】
車両走行中に可動ノーズがオープンしていると、走行中ノーズ開閉検出部３１は警告音声出力制御部３３に「走行中オープン」を通知する。この通知により、警告音声出力制御部３３はナビゲーション制御部１１からナビゲーション案内言語を取得し、該言語の警告音声データを記憶部３２から読出してＤＡコンバータ３４に入力する。ＤＡコンバータ３４はディジタルの警告音声データをアナログの警告音声信号に変換し、合成部１７、オーディオ回路１８を介してスピーカ１９より警告音声を出力する。
【００１８】
以後、警告音声出力制御部３３は、走行停止になるまで、あるいはノーズがクローズするまで、繰り返しナビゲーション案内言語の警告音声データを記憶部３２から読出してＤＡコンバータ３４に入力し、警告音声の出力を継続する。そして、走行停止あるいはノーズがクローズすれば、記憶部３２からの警告音声データの読み出しを終了し、警告音声の出力を停止する。
第１実施例によれば、音声で警告するため、ユーザはノーズオープンの警告を理解できる。この場合、警告音声データを多数の言語で記憶しておき、いずれの言語で警告するかをユーザに設定させ、設定した言語で警告音声を出力するから、EU地域に出荷する場合でもユーザが理解できる言語でノーズオープンの警告をするため確実に可動ノーズをクローズさせることができる。又、言語はナビゲーション装置で設定したナビゲーション案内音声の言語と同じにすることにより、警告音声言語を別に設定する必要がなく操作性を向上できる。又、車両が停車するまで、あるいは、ノーズがクローズするまで警告を繰り返し行うため、確実に可動ノーズをクローズさせることができる。
【００１９】
（Ｂ）第２実施例
図５は本発明の第２実施例のノーズオープン警告装置の構成図であり、図１の第１実施例と同一部分には同一符号を付しており、１０はナビゲーション装置、３０はノーズオープン警告制御装置、５０は可動ノーズ駆動機構である。
ナビゲーション装置において、１１はナビゲーション制御部、１２は地図記憶媒体でDVD、１３はDVD制御装置、１４はリモコン、１５は車両位置検出装置、１６は表示装置、１８はオーディオ回路(DAコンバータ内蔵)、１９はスピーカ、２０はDVDが機器にセットされているか検出するDVD装着検出部であり、DVD装着検出信号をDVD制御装置１３に入力する。地図記憶媒体であるDVD １２にはナビゲーション用の地図情報に加えて走行中の可動ノーズオープンに対する警告音声データを多数の言語で記憶している。警告音声データは、例えば、「走行時は、安全の為、ディスプレイを閉じて下さい」を意味する各言語の音声信号をディジタルに変換したものである。
【００２０】
ナビゲーション制御部１１において、１１ａはリモコンインタフェース、１１ｂはナビゲーション装置全体を制御するプロセッサ（ＣＰＵ）、１１ｃは制御プログラム用ＲＯＭで、経路探索プログラム、マップマッチングプログラムなどナビゲーション制御に必要な各種制御プログラム及び警告音声出力制御プログラムを記憶する。１１ｄはDVDから読み出した地図情報を記憶する地図情報記憶ＲＡＭ、１１ｅは誘導経路情報など処理結果を記憶するＲＡＭ、１１ｆは交差点における進行方向案内音声データを記憶するナビゲーション案内音声用ＲＡＭで、リモコンにより設定された言語のナビゲーション用案内音声データがDVDより読み取られて格納される。１１ｇは走行中ノーズオープンの警告音声データを所定言語たとえば英語で記憶するＲＯＭ、１１ｈはDVDより読み取られた設定言語（ナビゲーション用案内言語）の警告音声データを記憶するＲＡＭ、１１ｉは地図情報に基づいて地図画像を発生するディスプレイコントローラである。尚、ＲＯＭ、ＲＡＭを記憶内容に応じて分離しているが、１つのＲＯＭ、ＲＡＭで構成できる。又、警告音声を10秒と仮定した場合、11.025kHz、4bitデータで必要とする記憶容量は60kB程度と見積もられる。ROM上の警告音声データを多言語とした場合、 60kB×N倍の容量が必要となり、他のナビプログラムデータも合わせてROM上に格納する事がROM容量の関係で困難である為、多言語とはせず、１言語（例えば英語）のみ記憶することとする。
【００２１】
ノーズオープン警告制御装置３０において、３１は距離センサ１５ａから入力する走行パルスとノーズ開閉検出スイッチ５５から入力するノーズ開閉信号に基づいて走行中におけるノーズ開閉を検出する走行中ノーズ開閉検出部、３５は走行中にノーズがオープンしているときナビゲーション装置１０に警告音声の出力を要求し、警告音声出力要求後に走行停止あるいは可動ノーズがクローズしたとき警告音声出力の停止を要求する警告音声出力要求部である。
【００２２】
図６は警告音声出力要求部の制御処理フローである。走行中にノーズがオープンしているかチェックし（ステップ１０１）、「YES」であれば、警告音声出力をナビゲーション装置１０に要求する（ステップ１０２）。警告音声出力要求後、可動ノーズが閉じたか、あるいは、走行停止になったかチェックし（ステップ１０３〜１０４）、いずれも「NO」であれば、可動ノーズが閉じるか、あるいは、走行停止になるのを待つ。可動ノーズが閉じるか、あるいは、走行停止になれば、警告音声出力停止をナビゲーション装置１０に要求し（ステップ１０５）、処理を終了する。
【００２３】
図７はナビゲーション制御部のプロセッサ１１ｂの警告音声出力制御処理フローである。ノーズオープン警告制御部３０から警告音声出力の要求があったかチェックし（ステップ３０１）、警告音声出力要求があればDVDが装着されているかチェックする(ステップ３０２）。DVDが装着されていれば、DVD １２よりナビゲーション用案内言語の警告音声データを読み取りＲＡＭ １１ｈに格納し（ステップ３０３）、フラグＦDVDを”１”にする（ステップ３０４）。
ついで、ＦDVD="１"であるかチェックし（ステップ３０５）、「YES」であればＲＡＭ １１ｈからナビゲーション用案内言語の警告音声データを読み取り、オーディオ回路１８に入力する（ステップ３０６）。一方、ＦDVD="０"でであればＲＯＭ １１ｇから英語の警告音声データを読み取り、オーディオ回路１８に入力する（ステップ３０７）。オーディオ回路１８は入力された音声データをアナログに変換してスピーカ１９より警告音声を出力する。
【００２４】
しかる後、ノーズオープン警告制御部３０から警告音声出力の停止要求があったかチェックし（ステップ３０８）、警告音声出力の停止要求がなければステップ３０５に戻り、以降の処理を実行して所定の言語で警告音声を繰り返し出力する。
一方、ステップ３０８において、警告音声出力の停止要求が発生すれば、メモリから警告音声データの読み取りを停止し、フラグＦDVD＝”０”にして処理を終了し（ステップ３０９）、はじめに戻って次の警告音声の出力要求の発生を待つ。
【００２５】
以上では、警告音声の出力要求が発生したとき、DVDより警告音声データを読み取ってＲＡＭ１１ｈに記憶し、以後、該ＲＡＭより繰り返し警告音声データを読み取って出力する場合について説明したが、ＲＡＭ １１ｈを使用せずその都度DVDより警告音声データを読み取って音声出力するように構成することもできる。このようにすればＲＡＭを節約できる。又、電源投入後、直ちに、DVDよりナビゲーション用案内言語の警告音声データを読み取ってＲＡＭ１１ｈに記憶しておき、警告音声の出力要求が発生したとき、該ＲＡＭより警告音声データを読み取って音声出力するように構成することもできる。このようにすれば、警告音声を出力するまでの時間を短縮できる。
又、以上では距離センサーから入力する走行パルスにより走行中か否かを判定したが、ＧＰＳ受信機や、加速度センサーにより走行中か否かを判定することもできる。
以上、本発明を実施例により説明したが、本発明は請求の範囲に記載した本発明の主旨に従い種々の変形が可能であり、本発明はこれらを排除するものではない。
【００２６】
【発明の効果】
以上本発明によれば、車両走行中に可動ノーズがオープンしている時、所定の言語でノーズを閉じるよう音声で警告するようにしたから、ユーザをして警告を理解させることができ、結果的にノーズをクローズさせることができる。
又、本発明によれば、警告音声データを多数の言語で記憶しておき、いずれの言語で警告するかを設定し、設定言語でノーズを閉じるよう音声で警告するようにしたから、EU地域に出荷する場合でもユーザをして警告を理解させることができ、ノーズをクローズさせることができる。この場合、言語はナビゲーション装置で設定したナビゲーション案内音声の言語と同じにすることにより、警告音声言語を別に設定する必要がなく操作性を向上することができる。
又、本発明によれば、車両が停車するまで、あるいは、ノーズがクローズするまで警告を繰り返し行うようにしたから、確実に可動ノーズをクローズさせることができる。
【００２７】
又、本発明によれば、ナビゲーション用の地図情報記憶媒体に地図情報に加えて走行中ノーズオープンに対する警告音声データを多数の言語で記憶し、車両走行中にノーズがオープンしている時、ナビゲーション用案内言語でノーズを閉じるように音声で警告するようにしたから、ナビゲーション装置の機能を利用でき、安価にノーズオープン警告装置を構成することができる。
又、本発明によれば、ＲＯＭに走行中のノーズオープンに対する警告メッセージを所定の言語例えば英語で記憶しておき、地図情報記憶媒体がセットされていれば該記憶媒体よりナビゲーション用案内言語の警告メッセージを読出し、該言語で警告を行い、地図情報記憶媒体がセットされていなければＲＯＭから所定言語（英語）の警告メッセージを読出し、該言語で警告を行なうようにしたから、地図情報記憶媒体がセットされていなくても、所定言語（英語）で警告を発することができる。
【図面の簡単な説明】
【図１】第１実施例のノーズオープン警告装置の構成図である。
【図２】可動ノーズの駆動検出機構である。
【図３】可動ノーズロック機構の説明図である。
【図４】可動ノーズを全開した状態の説明図である。
【図５】第２実施例のノードオープン警告装置の構成図である。
【図６】警告音声出力要求部の処理フローである。
【図７】ナビゲーション制御部のプロセッサの処理フローである。
【図８】可動ノーズを備えた車載機器の一例である。
【符号の説明】
１０  ナビゲーション装置
１１  ナビゲーション制御部
１２  地図記憶媒体（DVD）
１５  車両位置検出装置
１６  表示装置
１８  オーディオ回路
１９  スピーカ
３０  ノーズオープン警告制御装置
３１  走行中ノーズ開閉検出部
３２  警告音声データ記憶部
３３  警告音声出力制御部
３４  ＤＡコンバータ
５０  可動ノーズ駆動機構
５５  ノーズ開閉検出スイッチ
【図１】
0004381550.tif 000002
【図２】
0004381550.tif 000003
【図３】
0004381550.tif 000004
【図４】
0004381550.tif 000005
【図５】
0004381550.tif 000006
【図６】
0004381550.tif 000007
【図７】
0004381550.tif 000008
【図８】
0004381550.tif 000009